(57)【要約】【課題】映像信号伝送用光ファイバネットワークユニットとデータ信号伝送用光ファイバネットワークユニットとを、共に屋外に設置して、効率の良い配線工事を可能にする。【解決手段】本体ケース１１は、映像信号伝送用光ファイバネットワークユニット用の回路基板およびデータ信号伝送用光ファイバネットワークユニット用の回路基板を収納する。支持脚１２は、本体ケース１１を建物の外壁に対して固定する。冷却フィン１３、１４は、本体ケース１１の建物の外壁に面した面に配置される。支持脚１２は、本体ケース１１と建物の外壁との間に、冷却フィン１３，１４を配置する空間と、垂直方向の空気の流路を形成する。【選択図】図１
2007214556.tif 000002
【特許請求の範囲】
【請求項１】
映像信号伝送用光ファイバネットワークユニット用の回路基板およびデータ信号伝送用光ファイバネットワークユニット用の回路基板を収納した本体ケースと、
前記本体ケースを建物の外壁に対して固定する支持脚と、
前記本体ケースの前記建物の外壁に面した面に配置された冷却フィンとを備え、
前記支持脚は、前記本体ケースと前記建物の外壁との間に、前記冷却フィンを配置する空間と、垂直方向の空気の流路を形成したことを特徴とする回線終端装置。
【請求項２】
映像信号伝送用光ファイバネットワークユニット用の回路基板もしくはデータ信号伝送用光ファイバネットワークユニット用の回路基板を収納した本体ケースと、
前記本体ケースを建物の外壁に対して固定する支持脚と、
前記本体ケースの前記建物の外壁に面した面に配置された冷却フィンとを備え、
前記支持脚は、前記本体ケースと前記建物の外壁との間に、前記冷却フィンを配置する空間と、垂直方向の空気の流路を形成したことを特徴とする回線終端装置。
【請求項３】
請求項１または２に記載の回線終端装置において、
映像信号伝送用光ファイバネットワークユニット用の回路基板もしくはデータ信号伝送用光ファイバネットワークユニット用の回路基板は、光ファイバケーブルにより受信した光信号を電気信号に変換する信号処理回路と、当該電気信号を宅内に引き込み用のメタルケーブルにより出力する出力回路を備えたことを特徴とする回線終端装置。
【請求項４】
請求項３に記載の回線終端装置において、
映像信号伝送用光ファイバネットワークユニット用の回路基板は、光ファイバケーブルにより受信した光信号を電気信号に変換する信号変換回路と、当該電気信号を宅内に引き込み用の同軸ケーブルにより出力する出力回路と、当該同軸ケーブルを通じて駆動電力の供給を受ける電源回路を備えたことを特徴とする回線終端装置。
【請求項５】
請求項３に記載の回線終端装置において、
データ信号伝送用光ファイバネットワークユニット用の回路基板は、光ファイバケーブルにより受信した光信号を電気信号に変換して出力し、入力する電気信号を光信号に変換して光ファイバケーブルにより送信する双方向信号変換回路と、当該双方向信号変換回路を宅内に引き込み用のＬＡＮケーブルに接続する入出力回路と、当該ＬＡＮケーブルと一体化された電源線を通じて駆動電力の供給を受ける電源回路を備えたことを特徴とする回線終端装置。
【請求項６】
請求項１乃至５のいずれかに記載の回線終端装置において、
前記回路基板の接地用配線パターン部分と前記冷却フィンとを、本体ケースを貫通する伝熱材により連結したことを特徴とする回線終端装置。
【請求項７】
請求項１乃至５のいずれかに記載の回線終端装置において、
前記冷却フィンと前記回路基板とを、本体ケースに設けられた開口に配置された熱伝導シートを介して接続したことを特徴とする回線終端装置。
【請求項８】
請求項７に記載の回線終端装置において、
冷却フィンが、本体ケースに設けられた冷却フィンの底裏面より小面積の開口を塞ぐように、前記本体ケースにとりつけられたことを特徴とする回線終端装置。
【請求項９】
請求項１乃至８のいずれかに記載の回線終端装置において、
前記映像信号伝送用光ファイバネットワークユニット用の回路基板を冷却する冷却フィンと、前記データ信号伝送用光ファイバネットワークユニット用の回路基板を冷却する冷却フィンとを、前記本体ケースと建物の外壁３０との間に形成された垂直方向の空気の流路から見たときに、水平方向に並ぶように配置したことを特徴とする回線終端装置。
【請求項１０】
請求項１乃至９のいずれかに記載の回線終端装置において、
前記本体ケース内部において、前記映像信号伝送用光ファイバネットワークユニット用の回路基板を設けた領域と前記データ信号伝送用光ファイバネットワークユニット用の回路基板を設けた領域とを、熱的に隔離する隔壁を設けたことを特徴とする回線終端装置。
【発明の詳細な説明】
【技術分野】
【０００１】
本発明は、光ファイバケーブルによるテレビジョン放送信号やインターネット信号の配信等に利用されるＦＴＴＨ（Fiber To The Home）回線終端装置に関する。
【背景技術】
【０００２】
通信ネットワークの高度利用を図るために、光ファイバケーブルを利用した、地上ディジタル放送信号の配信や、ブロードバンドネットワークへの接続サービスのためのインフラ整備が進められている。既知のＦＴＴＨ回線終端装置によれば、地上ディジタル放送信号を配信するために、Ｖ−ＯＮＵ（映像信号伝送用光ファイバネットワークユニット）を設置する。また、ブロードバンドネットワークへの接続のために、Ｄ−ＯＮＵ（データ信号伝送用光ファイバネットワークユニット）を設置する（特許文献１参照）。
【特許文献１】特開２００５−３５４５０４号公報
【発明の開示】
【発明が解決しようとする課題】
【０００３】
ここで、従来の技術には、次のような解決すべき課題があった。
既存の回線終端装置は、屋外から光ファイバケーブルを屋内に引き込み、さらに、宅内配線にも光ファイバケーブルを使用する。従って、光ケーブルの引き込み作業や宅内配線工事に高度な施工技術を必要とし、施工が煩雑になるという問題があった。
本発明は以上の課題を解決するためになされたもので、効率の良い配線工事を可能にし、屋外設置の可能な回線終端装置を提供することを目的とする。
【課題を解決するための手段】
【０００４】
本発明の各実施例においては、それぞれ次のような構成により上記の課題を解決する。
〈構成１〉
映像信号伝送用光ファイバネットワークユニット用の回路基板およびデータ信号伝送用光ファイバネットワークユニット用の回路基板を収納した本体ケースと、上記本体ケースを建物の外壁に対して固定する支持脚と、上記本体ケースの上記建物の外壁に面した面に配置された冷却フィンとを備え、上記支持脚は、上記本体ケースと上記建物の外壁との間に、上記冷却フィンを配置する空間と、垂直方向の空気の流路を形成したことを特徴とする回線終端装置。
【０００５】
映像信号伝送用光ファイバネットワークユニット用の回路基板およびデータ信号伝送用光ファイバネットワークユニット用の回路基板を本体ケースに一括収納する。この本体ケースを建物の外壁に固定するので、回線終端装置の工事を建物の外部で完了させることができる。支持脚は、本体ケースと建物の外壁との間に、冷却フィンを配置する空間と、垂直方向の空気の流路を形成するので、水密性の要求される本体ケースに収容された回路基板を、建物の外壁付近に生じる空気の対流作用を利用して効果的に冷却できる。
【０００６】
〈構成２〉
映像信号伝送用光ファイバネットワークユニット用の回路基板もしくはデータ信号伝送用光ファイバネットワークユニット用の回路基板を収納した本体ケースと、上記本体ケースを建物の外壁に対して固定する支持脚と、上記本体ケースの上記建物の外壁に面した面に配置された冷却フィンとを備え、上記支持脚は、上記本体ケースと上記建物の外壁との間に、上記冷却フィンを配置する空間と、垂直方向の空気の流路を形成したことを特徴とする回線終端装置。
【０００７】
映像信号伝送用光ファイバネットワークユニット用の回路基板もしくはデータ信号伝送用光ファイバネットワークユニット用の回路基板のうちの、いずれか一方のみを本体ケースに収納したものでも、構成１と同様の効果が得られる。
【０００８】
〈構成３〉
構成１または２に記載の回線終端装置において、映像信号伝送用光ファイバネットワークユニット用の回路基板もしくはデータ信号伝送用光ファイバネットワークユニット用の回路基板は、光ファイバケーブルにより受信した光信号を電気信号に変換する信号処理回路と、当該電気信号を宅内に引き込み用のメタルケーブルにより出力する出力回路を備えたことを特徴とする回線終端装置。
【０００９】
本体ケースを屋外に設置して、光ファイバケーブルによる工事を屋外に限定し、宅内はメタルケーブルを使用するので、宅内工事を簡便にすることができる。
【００１０】
〈構成４〉
構成３に記載の回線終端装置において、映像信号伝送用光ファイバネットワークユニット用の回路基板は、光ファイバケーブルにより受信した光信号を電気信号に変換する信号変換回路と、当該電気信号を宅内に引き込み用の同軸ケーブルにより出力する出力回路と、当該同軸ケーブルを通じて駆動電力の供給を受ける電源回路を備えたことを特徴とする回線終端装置。
【００１１】
宅内分を同軸ケーブルのようなメタルケーブルとしたので、宅内から当該同軸ケーブルを通じて駆動電力の供給を受けることができる。
【００１２】
〈構成５〉
構成３に記載の回線終端装置において、データ信号伝送用光ファイバネットワークユニット用の回路基板は、光ファイバケーブルにより受信した光信号を電気信号に変換して出力し、入力する電気信号を光信号に変換して光ファイバケーブルにより送信する双方向信号変換回路と、当該双方向信号変換回路を宅内に引き込み用のＬＡＮケーブルに接続する入出力回路と、当該ＬＡＮケーブルと一体化された電源線を通じて駆動電力の供給を受ける電源回路を備えたことを特徴とする回線終端装置。
【００１３】
ＬＡＮケーブルに電源線を一体化した複合ケーブルを使用すれば、その電源線を通じて駆動電力の供給を受けることができる。
【００１４】
〈構成６〉
構成１乃至５のいずれかに記載の回線終端装置において、上記回路基板の接地用配線パターン部分と上記冷却フィンとを、本体ケースを貫通する伝熱材により連結したことを特徴とする回線終端装置。
【００１５】
接地用配線パターン部分と前記冷却フィンとを、本体ケースを貫通する伝熱材により連結したので、本体ケースに収容された回路基板を効率よく冷却することができる。
【００１６】
〈構成７〉
構成１乃至５のいずれかに記載の回線終端装置において、冷却フィンの底裏面が、本体ケースに設けられた、冷却フィンより小面積の開口を塞ぐように、上記本体ケースに冷却フィンが取り付けられたことを特徴とする回線終端装置。
【００１７】
冷却フィンの底裏面が本体ケースに設けられた開口を塞ぐように取り付けられているから、本体ケース内部の密閉空間の熱を冷却フィンにより効率的に外部に排出できる。
【００１８】
〈構成８〉
構成７に記載の回線終端装置において、上記冷却フィンと上記回路基板とを、上記開口に配置された熱伝導シートを介して接続したことを特徴とする回線終端装置。
【００１９】
冷却フィンと前記回路基板の間に熱伝導シートを配置して放熱をするようにしたので、冷却フィン全面を効率よく使用して冷却効果を高めることができる。
【００２０】
〈構成９〉
構成１乃至８のいずれかに記載の回線終端装置において、前記映像信号伝送用光ファイバネットワークユニット用の回路基板を冷却する冷却フィンと、前記データ信号伝送用光ファイバネットワークユニット用の回路基板を冷却する冷却フィンとを、前記本体ケースと建物の外壁３０との間に形成された垂直方向の空気の流路から見たときに、水平方向に並ぶように配置したことを特徴とする回線終端装置。
【００２１】
２種の回路を冷却する冷却フィンのいずれか一方が空気の流路の上流にくることがなく、両者を効率よく冷却できる。
〈構成１０〉
構成１乃至９のいずれかに記載の回線終端装置において、前記本体ケース内部において、前記映像信号伝送用光ファイバネットワークユニット用の回路基板を設けた領域と前記データ信号伝送用光ファイバネットワークユニット用の回路基板を設けた領域とを、熱的に隔離する隔壁を設けたことを特徴とする回線終端装置。
【００２２】
２種の回路が熱的に隔離する隔壁で隔離されていると、それぞれを独立に熱設計でき、独立にメンテナンスできる。
【発明を実施するための最良の形態】
【００２３】
以下、本発明の実施の形態を実施例ごとに詳細に説明する。
【実施例１】
【００２４】
図１は、実施例１の回線終端装置を示す斜視図である。
図の（ａ）は回線終端装置１０を一側面（斜め下方）から見た図で、（ｂ）は建物の外壁側から見た図である。図の（ａ）に示すように、回線終端装置１０は、本体ケース１１の内部に、映像信号伝送用光ファイバネットワークユニット３５用の回路基板およびデータ信号伝送用光ファイバネットワークユニット３６用の回路基板を収納している。本体ケース１１の一側面には、ブッシング２５と映像信号接続端子２６とデータ信号接続端子２９が設けられている。ブッシング２５は、光ファイバケーブル２１を引き込むためのものである。映像信号接続端子２６は同軸ケーブル２２を接続するためのものである。データ信号接続端子２９は、ＬＡＮケーブル２３を接続するためのものである。
【００２５】
この実施例では、光ファイバケーブル２１は２本の光ファイバを含む。一方の光ファイバは、テレビジョン映像信号等の配信用ネットワークに接続されている。この光ファイバは、映像信号伝送用光ファイバネットワークユニット３５用の回路基板に接続される。もう一方の光ファイバはインターネット等の広域ネットワークに接続されている。この光ファイバは、データ信号伝送用光ファイバネットワークユニット３６用の回路基板に接続される。同軸ケーブル２２は、映像信号伝送用光ファイバネットワークユニット３５から引き出され、図示しない宅内のテレビジョン受像器等に接続される。ＬＡＮケーブル２３は、データ信号伝送用光ファイバネットワークユニット３６から引き出され、図示しない宅内のパーソナルコンピュータ等に接続される。なお、波長多重技術を利用すれば、光ファイバケーブル２１を一本の光ファイバで済ませることもできる。このときは、本体ケース１１の内部で２種の波長を分離して、一方を映像信号伝送用光ファイバネットワークユニット３５に、他方をデータ信号伝送用光ファイバネットワークユニット３６に接続すればよい。
【００２６】
状態表示板２７は、映像信号伝送用光ファイバネットワークユニット用の回路基板の動作状態を表示する複数のＬＥＤ（発光ダイオード）を備える。状態表示板２７は、データ信号伝送用光ファイバネットワークユニット用の回路基板の動作状態を表示する複数のＬＥＤ（発光ダイオード）を備える。本体ケース１１は、利用者の建物の外壁に固定される。この建物の外壁に面した側には、図の（ｂ）に示すように、冷却フィン１３と冷却フィン１４とが配置されている。また、この面には、支持脚１２とフック１５とが配置されている。
【００２７】
冷却フィン１３は、本体ケース１１の内部に収容された映像信号伝送用光ファイバネットワークユニット３５用の回路基板の放熱に利用される。冷却フィン１４は、本体ケース１１の内部に収容されたデータ信号伝送用光ファイバネットワークユニット３６用の回路基板の放熱に利用される。支持脚１２とフック１５とは、本体ケースを建物の外壁に対して固定するためのものである。なお、上記の本体ケース１１は、映像信号伝送用光ファイバネットワークユニット用の回路基板もしくはデータ信号伝送用光ファイバネットワークユニット用の回路基板のいずれか一方のみを収納するものであっても構わない。利用者の要求に応じて、その構成が選択される。
【００２８】
本体ケース１１の内部に映像信号伝送用光ファイバネットワークユニット用の回路基板やデータ信号伝送用光ファイバネットワークユニット用の回路基板を収納して、建物の外壁に固定すると、風雨に対する防水性を確保しなければならない。従って、本体ケース１１は必然的に密閉構造になる。しかし、密閉構造にすると、回路基板に搭載されたアクティブ部品の発熱に対する放熱が新たな問題になる。そこで、本体ケース１１に冷却フィンを取り付け、さらに次のような壁面への固定構造を採用することにした。また、上記２種の回路基板はそれぞれ熱的に異なる特性を持つ。従って、共通の放熱構造を採用すると過不足が生じるおそれがある。そこで、後述するような構造も採用した。
【００２９】
図２の（ａ）は本体ケースを建物の外壁に固定した状態を示す側面図、（ｂ）は本体ケースの分解斜視図である。
図の（ａ）に示すように、回線終端装置１０は建物の外壁３０に対して、ビス１７と１８により固定される。上記のフック１５と支持脚１２とは、本体ケース１１と建物の外壁３０との間に、冷却フィン１３，１４を配置する空間を形成する。さらに、矢印Ａや矢印Ｂに示すような、垂直方向の空気の流路を形成する。
【００３０】
本体ケース１１を建物の外壁３０に固定すると、本体ケース１１は直射日光により加熱されて、内部温度が上昇することが懸念された。しかしながら、実際には、建物の外壁に沿って上昇する対流風を冷却フィン１３と冷却フィン１４に当てると、十分に本体ケース１１の内部の温度を低下させることができた。そこで、本体ケース１１と建物の外壁３０との間に、矢印Ａや矢印Ｂに示すような、垂直方向の空気の流路を形成することにした。なお、冷却フィンの向きも、垂直方向の空気の流れを妨げないように垂直方向の溝を有するものにすることが好ましい。また、冷却フィン１３と冷却フィン１４とを、上記垂直方向の空気の流路から見たときに、水平方向に並ぶように配置し、互いの熱の影響を受けないようにすることが好ましい。即ち、いずれか一方が上流側にくることがないように配置する。
【００３１】
図２の（ｂ）に示すように、本体ケース１１の内部には、光ファイバケーブル２１の余長をループ状にして収容するガイド溝３７が設けられている。２本の光ファイバはこのガイド溝３７を経由し、さらに光ファイバスプライスボックス３２を経て、一方が映像信号伝送用ＯＮＵ３５に他方がデータ信号伝送用ＯＮＵ３６に接続される。それぞれ冷却フィンと連結するための開口６７の部分に固定される。なお、本体ケース１１の内部には、映像信号伝送用ＯＮＵ３５とデータ信号伝送用ＯＮＵ３６とをそれぞれ別々の領域に収納する隔壁３８が設けられている。データ信号伝送用ＯＮＵ３６と映像信号伝送用ＯＮＵ３５とでは両者の熱設計が異なる。従って、隔壁３８で領域を隔離して、それぞれ独立に冷却フィン１３と冷却フィン１４を用いて冷却するようにした。このように隔壁を設けて、熱的に独立構造にしておくと、いずれか一方だけのＯＮＵを取り付けておいて、その後、追加工事で、他方のＯＮＵを簡単に取り付けることができる。
【実施例２】
【００３２】
図３は、回線終端装置を使用したシステム全体の説明図である。
図のように、信号供給側（センター）は、インターネット４０に接続されたデータＯＬＴ（Ｏｐｔｉｃａｌ  Ｌｉｎｅ  Ｔｅｒｍｉｎａｌ）４３とＣＡＴＶ網４１に接続された映像ＯＬＴ４４とを備えている。データＯＬＴ４３と映像ＯＬＴ４４の出力は、光ケーブル伝送路４６を通じて各利用者宅４５の近くまで伝送される。図示しない電柱等に固定された光スプリッタ４９により、この信号が分岐されて、各利用者の家庭に配信される。引き込み用の光ファイバケーブル２１は、利用者宅４５の外壁に固定された回線終端装置１０に接続される。回線終端装置１０から引き出された同軸ケーブル２２にはテレビジョン４７が接続される。また、回線終端装置１０から引き出されたＬＡＮケーブル２３にはパーソナルコンピュータ４８が接続される。このように、光ファイバを使用する工事は、全て利用者宅４５の屋外で行なわれる。従って、留守宅でも工事が可能である。また、宅内工事は同軸ケーブル２２やＬＡＮケーブル２３のようなメタルケーブルであるから、専門性が要求されず、簡便である。
【００３３】
図４は回線終端装置各部のブロック図である。
図の（ａ）に示すように、映像信号伝送用ＯＮＵ３５は光ファイバケーブル２１により受信した光信号を電気信号に変換する信号変換回路５５と、当該電気信号を宅内に引き込み用の同軸ケーブル２２により出力する出力回路５６を備える。データ信号伝送用ＯＮＵ３６は、光ファイバケーブル２１により受信した光信号を電気信号に変換して出力し、入力する電気信号を光信号に変換して光ファイバケーブル２１により送信する双方向信号変換回路５７と、当該双方向信号変換回路５７を宅内に引き込み用のＬＡＮケーブル２３に接続する入出力回路５８を備える。
【００３４】
映像信号伝送用ＯＮＵ３５の回路基板は、同軸ケーブル２２を通じて駆動電力の供給を受ける電源回路１７を備える。具体的には、図の（ｂ）に示すように、利用者宅内に敷設した同軸ケーブル２２に、重畳器５１を挿入する。ＡＣ電源ユニット５２を、利用者宅のＡＣコンセントに接続する。これで、ＡＣ電源ユニット５２は、重畳器５１を介して、同軸ケーブル２２の内部導体と外部導体間に、例えばＤＣ１２ボルトの直流電圧を供給する。電源回路１７は同軸ケーブル２２の内部導体と外部導体からＤＣ１２ボルトの直流電圧を取り出して、映像信号伝送用ＯＮＵ３５とデータ信号伝送用ＯＮＵ３６に供給する。
【００３５】
図４の（ｃ）は別の実施例である。データ信号伝送用ＯＮＵ３６の回路基板は、新たに設けた電源線５９を通じて駆動電力の供給を受ける電源回路１８を備える。この電源線５９は、ＬＡＮケーブル２３に併設される。また、あるいは、電源線５９を内蔵した複合型ＬＡＮケーブルを使用してもよい。ＡＣ電源ユニット５２を、利用者宅のＡＣコンセントに接続する。これで、ＡＣ電源ユニット５２は、電源線５９を介して、電源回路１８に、例えばＤＣ１２ボルトの直流電圧を供給する。電源回路１８はこの直流電圧を映像信号伝送用ＯＮＵ３５とデータ信号伝送用ＯＮＵ３６に供給する。
【００３６】
回線終端装置１０に映像信号伝送用ＯＮＵ３５とデータ信号伝送用ＯＮＵ３６の両方を設置したときは、（ｂ）の構成を採用することが好ましい。新たな電源線５９が不要だからである。一方、インターネットのみを利用する利用者宅では、回線終端装置１０にデータ信号伝送用ＯＮＵ３５のみを設置する。このときは、（ｃ）の構成を採用すればよい。従って、引き込み用の光ファイバケーブル２１をメタル複合ケーブルにする必要がない。これは、ネットワーク側の電源供給設備負担が軽減されるだけでなく、引き込み用の光ファイバケーブル２１が非金属だから、雷害を防止する効果もある。
【実施例３】
【００３７】
図５は回路基板と冷却フィンの接続例説明図で、（ａ）は回路基板と伝熱材と冷却フィンの側面図、（ｂ）は回路基板を回路素子側から見た平面図である。
回線終端装置１０に使用するプリント基板は摂氏８５度以上になると絶縁基板材料等の劣化が生じる。また、搭載された回路素子６１、例えば、電解コンデンサの電解液の劣化や静電容量の減少の原因になる。外気温は摂氏４０度程度になる。図２の（ａ）に示すように建物の外壁３０に回線終端装置１０を固定すると、本体ケース１１の内部は回路基板の発熱で外気温以上になることがある。従って、いずれの回路基板についても、外気温と回路基板の温度差を４０度以下に押さえることが望ましい。このために、図５の実施例では、回路基板６０の接地用配線パターン６３の部分と冷却フィン１３とを、本体ケース１１を貫通する伝熱材６２により連結した。伝熱材６２は、例えば、伝熱性の良い金属ボルト等である。一般に、接地用配線パターン６３は、回路基板の周辺を含む広い面積にわたって形成されている。従って、これを冷却すると、回路基板全体を効率よく冷却できる。また、冷却フィン１３は金属製で導電性を有するが、接地用配線パターン６３との接続であれば、信号処理上悪影響を及ぼすことがない。なお、この実施例は、冷却フィン１３を示しているが、冷却フィン１４側に同様の構成を採用しても構わない。
【実施例４】
【００３８】
図６は回路基板と冷却フィンの別の接続例説明図で、（ａ）はこれらの側面図、（ｂ）は冷却フィンを取り除いた本体ケース開口の平面図である。
この図の例では、本体ケース１１に、四角い開口６７を設けて、冷却フィン１３と回路基板６０とを、熱伝導シート６６を挟んで接続した。図では、本体ケース１１の一部の断面が現れている。冷却フィン１３と回路基板６０とはビス６５を使用して連結固定されている。この実施例では、熱伝導シート６６は、熱伝導性のシリコンシート６８とアルミニウム等の金属シート６９を重ね合わせたものにした。柔軟な熱伝導性のシリコンシート６８は回路基板６０に搭載されたアクティブ部品６４に隙間無く密着する。金属シート６９はこのシリコンシート６８を介して、アクティブ部品６４の熱を冷却フィン１３に伝える。もちろん、熱伝導シート６６は、熱伝導の良い材料であればこの他の任意の構造を採用してよい。また、アクティブ部品、即ち、動作中に発熱する回路部品は、回路基板６０の熱伝導シート６６側に搭載することが好ましい。
【００３９】
一方、四角い開口６７は、冷却フィン１３の底裏面より小面積に選定する。冷却フィン１３はこの開口６７を塞ぐように、例えば、水密シール７０等を挟んで本体ケース１１に取り付けられる。以上の構造にすれば、冷却フィン１３と回路基板６０とが広い面積にわたって熱抵抗の低い材料を介して接続されているから、冷却フィン全面を効率よく使用して冷却効果を高めることができる。即ち、水密構造を保持したまま、本体ケース１１内部の密閉空間の熱を冷却フィン１３により効率的に外部に排出できる。
【００４０】
図７は、映像信号伝送用ＯＮＵの温度上昇特性を示す説明図である。
図のグラフの縦軸は、装置各部の測定温度と外気温との温度差である。本体ケースに収納しないＯＮＵ単体の場合がＡ、本体ケースに収納した場合がＢ、冷却フィンを本体ケースに取り付けた場合がＣ、図５や図６の放熱構成にした場合がＤ、太陽光に照らされて、対流を利用して冷却をした場合がＥである。（１）はレギュレータ（電源回路）の接地端子の温度、（２）はプリント基板の接地パターンの温度、（３）は映像信号伝送用ＯＮＵ３５のシールドケースの温度、（４）はそのシールドケース内の気温、（５）は本体ケース内の気温、（６）は冷却フィンの温度である。図のように、本体ケースに冷却フィンを取り付けると、回路基板の温度を十分に外気温に近づけることができる。特に、図５や図６のように回路基板と冷却フィンとの間を熱抵抗の低い材料で接続すると、外気温と回路基板の温度差を４０度以下に押さえることが可能になる。また、対流を利用して冷却をした場合には、いっそう、冷却効果が高まることも実証できた。
【００４１】
図８は、データ信号伝送用ＯＮＵの温度上昇特性を示す説明図である。
図のグラフの縦軸は、装置各部の測定温度と外気温との温度差である。図７とはスケールが異なる。Ａ、Ｂ、Ｃ、Ｄは、図７と同様である。（７）は光モジュールの表面温度、（８）は光モジュール搭載基板の温度、（９）はＥＰＳ表面の温度、（１０）は電界コンデンサ周辺の温度、（１１）は本体ケース内の気温である。図のように、装置の各部位の温度を、従来屋内に設置して使用していた場合と同程度の温度にすることができた。
【００４２】
以上説明した回線終端装置によれば、設置工事について、屋外と屋内の工事業者の切り分けができる。即ち、屋外工事は光ケーブル接続技術を持つ工事業者が担当し、屋内工事は、同軸ケーブルやＬＡＮケーブルを用いた一般の電気配線技術を持つ工事業者が担当することができる。また、回線終端装置は、屋外設置型なので、留守宅でも屋外工事を進めることができる。屋外設置型は密閉構造であり、直射日光による温度上昇が懸念された。しかしながら、上記のように、装置に放熱フィンを設けて、所定の姿勢で建物の外壁に取り付けると、対流による放熱フィンの冷却効果がきわめて高い。これにより、回線終端装置内部の温度を十分に使用に耐える温度範囲に保持することができる。
【００４３】
家屋の外壁に固定する終端装置は、雨水の浸入を防ぐため、密閉構造でなければならない。終端装置のケースは、ＡＢＳなどの樹脂を用いる。従って、放熱機能が不十分になる。また、テレビジョン信号変換用の回路は、従来からＣＡＴＶ用の屋外装置に設けられたものを使用すればよく、比較的屋外における熱的なストレスに強い。一方、ケーブルモデムの部分は、従来は専ら屋内で使用されているものだから、屋外に放置して太陽熱などに暖められた場合に、その熱に対する耐久性が思わしくない。従って、上記のように、個別に冷却フィンを取り付けることで、冷却効果の最適化が実現した。
【図面の簡単な説明】
【００４４】
【図１】実施例１の回線終端装置を示す斜視図である。
【図２】（ａ）は本体ケースを建物の外壁に固定した状態を示す側面図、（ｂ）は本体ケースの分解斜視図である。
【図３】回線終端装置を使用したシステム全体の説明図である。
【図４】回線終端装置各部のブロック図である。
【図５】回路基板と冷却フィンの接続例説明図で、（ａ）は側面図、（ｂ）は平面図である。
【図６】回路基板と冷却フィンの別の接続例説明図で、（ａ）は側面図、（ｂ）は平面図である。
【図７】映像信号伝送用ＯＮＵの温度上昇特性を示す説明図である。
【図８】データ信号伝送用ＯＮＵの温度上昇特性を示す説明図である。
【符号の説明】
【００４５】
１０  回線終端装置
１１  本体ケース
１２  支持脚
１３  冷却フィン
１４  冷却フィン
１５  フック
２１  光ファイバケーブル
２２  同軸ケーブル
２３  ＬＡＮケーブル
２５  ブッシング
２６  映像信号接続端子
２７  状態表示板
２８  状態表示板
２９  データ信号接続端子
【図１】
2007214556.tif 000003
【図２】
2007214556.tif 000004
【図３】
2007214556.tif 000005
【図４】
2007214556.tif 000006
【図５】
2007214556.tif 000007
【図６】
2007214556.tif 000008
【図７】
2007214556.tif 000009
【図８】
2007214556.tif 000010